(57)【要約】【課題】  侵入防止装置のメンテナンスが容易で、かつ、一般的な塩ビ管等に装着し得ると共に、既設の通気パイプにも装着し得る換気装置における侵入防止装置の取付構造を提供する。【解決手段】  通気パイプ２の突出部２ｃに複数個の金属クリップ３０が固定され、前記クリップ３０は、前記突出部２ｃにクリップ３０を固定するために前記突出部２ｃを通気パイプ２の厚さ方向Ｙに挟む挟み部３１と、前記通気パイプ２の内方に向って突出する接続片部３２とを備え、侵入防止装置１０が前記クリップ３０の接続片部３２を介して通気パイプ２内に着脱自在に固定されている。【選択図】    図１
2005061706.tif 000002
【特許請求の範囲】
【請求項１】
外壁を貫通して屋内側と屋外側とを連通させる通気パイプを設け、前記通気パイプの一端を屋外側に突出させ、該突出部を換気用器具で覆った換気装置において、
前記通気パイプから虫および／または鳥が侵入するのを防止する侵入防止装置が前記通気パイプ内に装着可能な大きさに設定され、前記侵入防止装置を屋内側から着脱できるようにした侵入防止装置の取付構造であって、
前記通気パイプの突出部に複数個の金属クリップが固定され、
前記クリップは、前記突出部にクリップを固定するために前記突出部を通気パイプの厚さ方向に挟む挟み部と、前記通気パイプの内方に向って突出する接続片部とを備え、
前記侵入防止装置が前記クリップの接続片部を介して通気パイプ内に着脱自在に固定されている換気装置における侵入防止装置の取付構造。
【請求項２】
請求項１において、
前記クリップの挟み部は、断面略コ字状で、金属材料の弾性でパイプの突出部を挟む板バネ状に形成されていると共に、該挟み部で挟んだパイプの表面層に食い込んでクリップがパイプの先端から脱落するのを防止するカエリ部を備え、
前記接続片部は、前記挟み部の一端部から前記パイプの内側に向って突出している換気装置における侵入防止装置の取付構造。
【請求項３】
請求項１もしくは２において、
前記侵入防止装置は、前記接続片部に対し屋内側から押し当てられ回転可能な第１の姿勢から、前記接続片部にパイプの軸方向に係合する第２の姿勢に第１の方向に若干回転されることで、前記クリップを介して前記パイプ内に装着され、
前記第２の姿勢から前記第１の方向とは反対の第２の方向に若干回転されることで前記第１の姿勢に戻って、前記係合状態が解除されることで前記パイプ内から取り出せるように構成されている換気装置における侵入防止装置の取付構造。
【請求項４】
請求項１，２もしくは３において、
前記侵入防止装置は、円形状の金属板から通気孔を打ち抜いた外枠部を有し、
前記外枠部の一部が放射方向に沿って切断され、該切断部の近傍部が外枠の他部に対し前記管軸方向に微小距離離間した位置に設定され、
前記近傍部と前記外枠部の他部との間に前記接続片部が位置することで、前記侵入防止装置が前記クリップに固定されている換気装置における侵入防止装置の取付構造。
【発明の詳細な説明】
【技術分野】
【０００１】
本発明は、換気装置における侵入防止装置の取付構造に関するものである。
【背景技術】
【０００２】
従来より、換気装置には侵入防止装置が取り付けられる場合が多い。前記侵入防止装置の一般的な取付構造としては、屋外側に取り付けられている場合が多い。この場合、高所に設けた侵入防止装置を掃除しようとすると、著しくメンテナンスが行ないづらくなる。そこで、下記特許文献１の侵入防止装置が開発されている。
【０００３】
【特許文献１】特開平１１−８１５０８号（図３、第２頁）  該特許文献１の発明は侵入防止装置に把手を設けて通気パイプの屋内側から侵入防止装置の交換を可能としている。
【発明の開示】
【発明が解決しようとする課題】
【０００４】
しかし、前記特許文献１の発明では、円筒状の筒体の外周の係止部を、通気パイプの内周に設けた係止突起に係合させているので、一般的な塩ビ管からなる通気パイプには装着できない。
また、既設の通気パイプには装着できない。
【０００５】
したがって、本発明の目的は、侵入防止装置のメンテナンスが容易で、かつ、一般的な塩ビ管等に装着し得ると共に、既設の通気パイプにも装着し得る換気装置における侵入防止装置の取付構造を提供することである。
【課題を解決するための手段】
【０００６】
前記目的を達成するために、本発明は、外壁を貫通して屋内側と屋外側とを連通させる通気パイプを設け、前記通気パイプの一端を屋外側に突出させ、該突出部を換気用器具で覆った換気装置において、前記通気パイプから虫および／または鳥が侵入するのを防止する侵入防止装置が前記通気パイプ内に装着可能な大きさに設定され、前記侵入防止装置を屋内側から着脱できるようにした侵入防止装置の取付構造であって、前記通気パイプの突出部に複数個の金属クリップが固定され、前記クリップは、前記突出部にクリップを固定するために前記突出部を通気パイプの厚さ方向に挟む挟み部と、前記通気パイプの内方に向って突出する接続片部とを備え、前記侵入防止装置が前記クリップの接続片部を介して通気パイプ内に着脱自在に固定されている。
【発明の効果】
【０００７】
本発明によれば、侵入防止装置の交換を屋内側から行なうことができる。
しかも、通気パイプの突出部を挟むクリップを設けるので、一般的な塩ビ管などの通気パイプに取り付けることができると共に、既設の通気パイプにも取り付けることができる。
【発明を実施するための最良の形態】
【０００８】
本発明の好ましい形態においては、クリップの挟み部は、断面略コ字状で、金属材料の弾性でパイプの突出部を挟む板バネ状に形成されていると共に、該挟み部で挟んだパイプの表面層に食い込んでクリップがパイプの先端から脱落するのを防止するカエリ部を備え、前記接続片部は、前記挟み部の一端部から断面Ｌ字状に連なっている。
【０００９】
この形態においては、金属クリップのカエリ部が樹脂パイプの表面に食い込むので、クリップがパイプの先端から脱落しにくくなる。したがって、クリップを確実に固定し得る。
【００１０】
本発明の別の好適な形態においては、侵入防止装置は、前記接続片部に対し屋内側から押し当てられ、回転可能な第１の姿勢から、前記接続片部にパイプの軸方向に係合する第２の姿勢に第１の方向に若干回転されることで、前記クリップを介して前記パイプ内に装着され、前記第２の姿勢から前記第１の方向とは反対の第２の方向に若干回転されることで前記第１の姿勢に戻って、前記係合状態が解除されることで前記パイプ内から取り出せるように構成されている。
【００１１】
この形態においては、侵入防止装置を回転させて侵入防止装置を交換することができるので、磁石等を用いなくてもよいから、侵入防止装置のコストダウンを図り得る。
【００１２】
本発明の更に他の好適な形態においては、侵入防止装置は、円形状の金属板から通気孔を打ち抜いた外枠部を有し、前記外枠部の一部が放射方向に沿って切断され、該切断部の近傍部が外枠の他部に対し前記管軸方向に微小距離離間した位置に設定され、前記近傍部と前記外枠部の他部との間に前記接続片部が位置することで、前記侵入防止装置が前記クリップに固定されている。
【００１３】
この形態においては、侵入防止装置を円筒形にする必要がないから、平板を打ち抜くと共にプレス加工をするだけで成型し得るので、コストダウンを図り得る。
【実施例１】
【００１４】
以下、本発明の一実施例を図面に従い説明する。
全体構成：
図１に示すように、換気装置は、通気パイプ２、換気用器具１および侵入防止装置１０を備えている。通気パイプ２は、内壁５、通気層８および外壁４を貫通して設けられ、屋内Ｉと屋外Ｏとを連通させている。前記通気パイプ２の屋外側開口２ｂには、換気用器具１が設けられている。
前記通気パイプ２の屋内側開口２ａには電動ファン３を設けてもよい。なお、前記電動ファン３は排気だけではなく吸気を行うようにしてもよい。また、必ずしも電動ファン等を設けて強制的に吸排気を行う必要はない。
【００１５】
通気パイプ２の屋外Ｏ側は、外壁４から突出する突出部２ｃとなっている。
前記換気用器具１は、互いに別体の台座２２および屋外フード２０を備えている。台座２２は、外壁４に近接した状態で対向する面（外壁取付面）を持つベース部２５を備えている。前記ベース部２５には、前記突出部２ｃの外周に近接した外嵌部（円周部）２９が形成されている。外嵌部２９は、通気パイプ２の外周と同心円状となる円環状に形成されている。
【００１６】
一方、図２に示すように、前記屋外フード２０は、正面板部４０、天板部４２および底板部４４を有している。図１に示す正面板部４０は、通気パイプ２の屋外側開口２ｂを外方の正面から覆っている。天板部４２および底板部４４（図２）は、それぞれ、屋外側開口２ｂを上方および下方から覆っている。したがって、正面板部４０、天板部４２および底板部４４によって、屋外側開口２ｂに臨む空間２０ａが形成されている。
【００１７】
屋外フード２０は、左右の端部に上下通路壁面部４６を有している。上下通路壁面部４６によって、上下に開口する上下用通路２０ｂが形成されている。この一対の上下用通路２０ｂは、前記空間２０ａに連通している。
【００１８】
図２に示す屋外フード２０には、前記空間２０ａと上下用通路２０ｂとの間に、一対の絞板部４９，４９が設けられている。絞板部４９は、正面板部４０、天板部４２および底板部４４から鉛直面に沿って突出しており、換気用通路の形状を概ねＨ型に近づけるためのもので、通路用の切欠部４９ａを有している。この切欠部４９ａの上端には、雨水が切欠部４９ａから侵入するのを防止する庇４９ｂが上下用通路２０ｂに突設した状態で設けられている。
【００１９】
図２において、前記切欠部４９ａには、屋外フード２０とは別体に形成された防鳥板５０が設けられている。防鳥板５０は、鳥が空間２０ａ内に侵入するのを防ぐためのものであり、１枚の金属板で形成されていると共に、換気用の複数の孔（以下、「防鳥孔」という）５１が打ち抜かれている。防鳥孔５１は、鳥の侵入が防止し得る程度の大きさに設定されている。前記防鳥板５０を装着することにより、鳥が空間２０ａ内に侵入し、巣を作るのを防ぐことができる。なお、この防鳥板５０は必ずしも設ける必要はない。
【００２０】
侵入防止装置１０：
一方、図３（ａ）に示すように、通気パイプ２の突出部２ｃには、通気パイプ２から虫および／または鳥が侵入するのを防止するための侵入防止装置１０が取り付けられる。
【００２１】
図４は屋内Ｉ側から見た侵入防止装置１０を示す。図４に示すように、侵入防止装置１０は、１枚の円形状の金属板から複数の通気孔１１を打ち抜いた外枠部１２を有している。この打ち抜きにより、外枠部１２内には、複数の桟１２ｂが形成されている。前記桟１２ｂの中心付近には、屋内Ｉ方向に向って突出する把持部１４が形成されている。前記把持部１４は、桟１２ｂを屋内Ｉ側に折り曲げることにより形成されている。
【００２２】
外枠部１２の下部には、前記通気孔１１が打ち抜かれていない水切部１２ａが形成されている。図３（ａ）に示す水切部１２ａにより、屋外Ｏから屋内Ｉに向って雨水等の流入を防止することができる。
【００２３】
図３に示す外枠部１２の屋外Ｏ側の面には、通気孔１１を覆う網１３が固定されている。
通気孔１１の大きさとしては、たとえば、前記防鳥板５０（図２）における防鳥孔５１（図２）と同程度の大きさ、すなわち、鳥などが侵入できない大きさに設定されている。一方、網１３は、虫などが侵入し得ない大きさの網の目のものを用いるのが好ましい。
侵入防止装置１０の材質としては、その側面に網１３が張設できるものであればよく、特に限定されるものではなく、たとえば、鉄やステンレス綱、アルミニウム等の金属の他に、合成樹脂などを用いることができる。一方、網１３の材質としては、防虫機能が期待できるものであればよく、たとえば、鉄やステンレス綱等の金属の他に、合成樹脂などを用いることができる。
【００２４】
金属クリップ３０；
つぎに、侵入防止装置１０を通気パイプ２に取り付けるための金属クリップ３０について説明する。
図３（ｂ）の拡大された平面図に示すように、クリップ３０は、一枚の金属板を曲げ加工することで挟み部３１と接続片部３２とが一体に曲げ加工されている。
【００２５】
挟み部３１は、通気パイプ２を該通気パイプ２の厚さ方向Ｙに両側から挟み込むものであり、断面が略「コ」字状に形成されている。挟み部３１は、金属材料の弾性で通気パイプ２の突出部２ｃを挟む板バネ状に形成されている。
前記挟み部３１には、通気パイプ２の表面層に食い込んで、クリップ３０が通気パイプ２の先端から脱落するのを防止するためのカエリ部３３が形成されている。図６に示すように、前記カエリ部３３は、挟み部３１の一部を切り欠いて形成されている。カエリ部３３は、たとえば、挟み部３１の内周側の上下端を斜めに切り欠き、通気パイプ２側に向って折り曲げて形成される。
したがって、図３（ｂ）に示すように、クリップ３０の挟み部３１を通気パイプ２の両側から挟み込むように装着すると、金属材料の弾性で挟み部３１が通気パイプ２を両側から挟み込むと共に、カエリ部３３が通気パイプ２に食い込み、クリップ３０を通気パイプ２に固定する。
【００２６】
接続片部３２は、通気パイプ２の内方に向って鉛直面（通気パイプ２の軸線に直交する横断面）に沿って突出して設けられており、前記挟み部３１の一端部から断面「Ｌ」字状に連なって形成されている。
【００２７】
取付構造：
ここで、図６（ａ）に示すように、侵入防止装置１０の外枠部１２の一部は、その外周縁から内方に向って放射状に切断されている。そのため、切断部１２Ｃには、クリップ３０の接続片部３２が挿入可能な隙間Ｓが形成されている。
一方、前記切断部１２Ｃの近傍部には、屋内Ｉ方向に若干引っ込むように折り曲げられた挟持部１５が形成されている。したがって、挟持部１５は、外枠部１２の他部に対して管軸方向に微小距離離間した位置に形成されている。前記挟持部１５は、クリップ３０の接続片部３２と概ね同じ形状で、かつ、若干大きく形成されている。
【００２８】
侵入防止装置１０は、図６（ａ）に示すように、接続片部３２に対し屋内Ｉ側から押し当てられ、通気パイプ２の内周に沿って回転可能な第１の姿勢から、図６（ｂ）に示すように、係合方向（第１の方向）Ｒ１に若干回転されることで、クリップ３０を介して通気パイプ２内に装着される第２の姿勢となる。
すなわち、図６（ａ）の通気パイプ２に予め取り付けられたクリップ３０の接続片部３２に、侵入防止装置１０の挟持部１５を合わせて密着させた後、侵入防止装置１０を通気パイプ２の内周に沿って係合方向Ｒ１に回転させると、図６（ｂ）に示すように、切断部１２Ｃの隙間Ｓにクリップ３０の接続片部３２が挿入され、接続片部３２が挟持部１５と外枠部１２との間に挟まれて、侵入防止装置１０が通気パイプ２の管軸方向Ｘに固定される。
なお、外枠部１２には、接続片部３２の侵入端３６に接触し、侵入防止装置１０の係合方向Ｒ１への回転を所定の位置で停止させ、接続片部３２が外枠部１２から抜けるのを防止する折曲部１６が形成されている。
【００２９】
侵入防止装置１０の取外方法：
図３に示す取付状態（第２の姿勢）の侵入防止装置１０を取り外すには、屋内Ｉ側から通気パイプ２内に手を差し込み、図４の把持部１４を掴む。その後、図６（ｂ）に示すように、侵入防止装置１０を通気パイプ２の内周に沿って前記係合方向Ｒ１とは逆の解除方向（第２の方向）Ｒ２に回転させる。この回転により、接続片部３２が切断部１２Ｃから抜け、侵入防止装置１０と接続片部３２との係合が解除される。その後、図５に示すように、侵入防止装置１０を屋内Ｉ側に向って引き出して取り外す。
【００３０】
侵入防止装置１０の取付方法：
侵入防止装置１０を取り付けるには、図４の把持部１４を持ち、図５に示すように、侵入防止装置１０を屋内Ｉ側から通気パイプ２内に挿入する。
その後、クリップ３０の接続片部３２に侵入防止装置１０を押し付けながら、侵入防止装置１０を円周方向Ｒ１，Ｒ２に若干回転させ、図６（ａ）の挟持部１５に接続片部３２を接触させる。
ここで、前述のように、挟持部１５は、外枠部１２の他の部分に対して、屋内方向に向って微小距離離間するように、屋内Ｉ側に折り曲げられている。そのため、侵入防止装置１０を接続片部３２に押しつけて円周方向Ｒ１，Ｒ２に回転させると、挟持部１５に接続片部３２が入り込む。そのため、容易に切断部１２Ｃの隙間Ｓに接続片部３２を侵入させることができる。
【００３１】
その後、侵入防止装置１０を前記係合方向Ｒ１に回転させて、図６（ｂ）に示すように、接続片部３２の侵入端３６が、前記切断部１２Ｃの隙間Ｓに侵入した第２の姿勢にさせる。かかる回転により、接続片部３２が挟持部１５と外枠部１２との間に挟まれると共に、侵入端３６が折曲部１６に接触し、侵入防止装置１０がクリップ３０に固定される。
【００３２】
このように、本発明によれば、侵入防止装置１０の交換を屋内Ｉ側から行うことができる。
しかも、通気パイプ２の突出部２ｃを挟むクリップ３０を用いるので、一般的な塩ビ管などの通気パイプに取り付けることができると共に、既設の通気パイプにも取り付けることができる。
【００３３】
また、クリップ３０のカエリ部３３が樹脂製の通気パイプ２の表面に食い込むので、クリップ３０がパイプ２の先端から脱落しにくくなる。したがって、クリップ３０を確実に固定し得る。
さらに、侵入防止装置１０を回転させて侵入防止装置１０の交換を行うことができるので、磁石等を用いなくてもよいから、侵入防止装置のコストダウンを図り得る。
【００３４】
また、外枠部１２は、円筒形にする必要がなく、円形状の金属板から通気孔を打ち抜いて成形することにより作成可能である。そのため、平板を打ち抜くと共にプレス加工を施すだけで成形し得るから、大幅なコストダウンを図り得る。
ところで、ベース部２５を作成する際には、通気パイプ２の円周に合わせて、金属板を円形に打ち抜いて外嵌部２９を作成する。そのため、不要な円形部分が生じる。そこで、当該打ち抜かれた円形の板を利用して外枠部１２を作成すれば、更なるコストダウンを図り得る。
【００３５】
なお、網１３の代わりに、多数の孔を穿孔した板で構成した防虫板を用いてもよい。また、外枠部１２に水切部１２ａを設ける代わりに、当該防虫板の下部に水切部を設けてもよい。
さらに、必ずしも網１３や前記防虫板を設ける必要はない。また、網１３や防虫板を別途設ける代わりに、桟１２ｂ間のピッチを小さくすることにより、防虫効果を奏するようにしてもよい。
また、クリップ３０または外枠部１２の何れか一方をステンレススチールなどの磁性材料で形成し、永久磁石を用いて固定するようにしてもよい。
【００３６】
以上のとおり、図面を参照しながら好適な実施例を説明したが、当業者であれば、本明細書を見て、自明な範囲で種々の変更および修正を容易に想定するであろう。
たとえば、換気用器具は、前述の実施例１に示す換気用器具１とは異なる構造であってもよい。
したがって、そのような変更および修正は、請求の範囲から定まる本発明の範囲内のものと解釈される。
【産業上の利用可能性】
【００３７】
本発明は外壁を貫通して屋内側と屋外側とを連通させる通気パイプを設けた換気装置に用いることができる。
【図面の簡単な説明】
【００３８】
【図１】本発明の実施例１を示す換気装置の平面断面図である。
【図２】屋外フードおよび防鳥板の斜視図である。
【図３】（ａ）は侵入防止装置の取付状態を示す斜視図、（ｂ）はクリップの取付状態を示す拡大された平面図である。
【図４】侵入防止装置の背面からの斜視図である。
【図５】侵入防止装置の取付前ないし取外後の状態を示す斜視図である。
【図６】侵入防止装置の取付・取外方法を示す斜視図である。
【符号の説明】
【００３９】
１：換気用器具
２：通気パイプ
２ｃ：突出部
４：外壁
１０：侵入防止装置
３０：クリップ
３１：挟み部
３２：接続片部
３３：カエリ部
Ｉ：屋内
Ｏ：屋外
Ｙ：厚さ方向
【図１】
2005061706.tif 000003
【図２】
2005061706.tif 000004
【図３】
2005061706.tif 000005
【図４】
2005061706.tif 000006
【図５】
2005061706.tif 000007
【図６】
2005061706.tif 000008